(57)【特許請求の範囲】
【請求項１】
被ロック部を有するケーブルを挿脱可能で、挿入した該ケーブルの両面とそれぞれ対向する天井部及び底板部、該天井部と底板部の両側部に接続し上記ケーブルの両側縁近傍部を受け入れかつ該両側縁部を外側に突出させる挿入用凹部を有する内側壁、並びに、該内側壁から両側方に離間し、上記ケーブルの該内側壁から突出させた上記両側縁部の両側面とそれぞれ対向する一対の外側壁を具備し、かつ回路基板に実装したインシュレータと、
上記回路基板と電気的に接続した状態で該インシュレータに支持したコンタクトと、
対向する上記内側壁と外側壁の間の空間に進入する一対の回転支持部、及び、該回転支持部に形成した上記被ロック部と係脱可能なロック爪を有し、該ロック爪が上記被ロック部とケーブルの挿脱方向に対向するロック位置と、該ロック爪がケーブルから上記天井部側に退避して被ロック部とケーブルの挿脱方向に対向しなくなるアンロック位置との間を回転可能として上記インシュレータに支持したロック部材と、
一端を上記インシュレータまたは該インシュレータに固定した固定部材に固定し、他端で上記ロック部材の該インシュレータとの対向部を支持する、該ロック部材を上記ロック位置に向けて回転付勢するコイルばねと、を備え、
上記ロック爪が、上記インシュレータに挿入した上記ケーブルによって押圧されることにより上記ロック位置に位置しているロック部材を上記アンロック位置まで回転させ、かつ、上記ロック爪が上記被ロック部とケーブルの挿脱方向と直交する方向に対向しなくなったときに上記ケーブルと非接触になりロック部材が上記ロック位置まで回転するのを許容する被押圧部であることを特徴とするケーブル用コネクタ。
【請求項２】
請求項１記載のケーブル用コネクタにおいて、
上記インシュレータに、上記コンタクトを覆う金属製のシェル部材を固定したケーブル用コネクタ。
【請求項３】
請求項２記載のケーブル用コネクタにおいて、
上記インシュレータに回転軸を形成し、
上記ロック部材が、該回転軸に回転可能に支持した一対の回転支持部と、一対の回転支持部を接続し、かつ上記シェル部材を挟んで上記インシュレータと反対側に位置する基板部と、を備えるケーブル用コネクタ。
【発明の詳細な説明】
【技術分野】
【０００１】
本発明は、ケーブル用コネクタに関する。
【背景技術】
【０００２】
ＦＰＣ用コネクタの一例として、ＦＰＣをコネクタに挿入する際に挿入力が必要となる、いわゆるＮｏｎ−ＺＩＦ（Ｚｅｒｏ  Ｉｎｓｅｒｔｉｏｎ  Ｆｏｒｃｅ）タイプのコネクタが知られている。
Ｎｏｎ−ＺＩＦタイプのＦＰＣ用コネクタは、一般的に１回の動作でＦＰＣの挿入と保持を行う構造であり、コンタクトの一対の接触片の間隔をＦＰＣの厚みより僅かに狭く設定しているので、ＦＰＣを挿入すると一対の接触片からＦＰＣに所定の接触圧力が及びＦＰＣとコンタクトが接続する。しかし、接触片の接触圧力のみで挿入されたＦＰＣを保持しているので、ＦＰＣに引き抜き方向の意図しない強い外力が掛かると、ＦＰＣがコネクタから不意に抜け出してしまう。
これに対してアクチュエータを有するＺＩＦタイプ（ＦＰＣの挿入時にＦＰＣとコンタクトの間に挿入抵抗が発生しないタイプ）のＦＰＣコネクタは、アクチュエータをロック方向に操作することにより、コンタクトの接触片とＦＰＣの接触圧力を高めることが出来るので、ＦＰＣがコネクタから不意に抜けるのを効果的に防止できる。
【特許文献１】特開２００６−２２８４５３号公報
【発明の開示】
【発明が解決しようとする課題】
【０００３】
しかしアクチュエータを有するＦＰＣコネクタにＦＰＣを接続するためには、〈１〉ＦＰＣをコネクタ（インシュレータ）に挿入し、〈２〉アクチュエータをロック方向に操作する、という２つの動作が必要になる。そのためアクチュエータを有するＦＰＣコネクタには、ＦＰＣとの接続作業を両手で行なわなければならず、かつ作業効率が向上しないという課題がある。
【０００４】
本発明の目的は、１回の動作でケーブルと確実に接続且つロックすることが可能で、かつ、接続したケーブルが不意に抜け出すのを確実に防止できるケーブル用コネクタを提供することにある。
【課題を解決するための手段】
【０００５】
本発明のケーブル用コネクタは、被ロック部を有するケーブルを挿脱可能で、挿入した該ケーブルの両面とそれぞれ対向する天井部及び底板部、該天井部と底板部の両側部に接続し上記ケーブルの両側縁近傍部を受け入れる挿入用凹部を有する内側壁、並びに、該内側壁から両側方に離間し、上記ケーブルの両側面とそれぞれ対向する一対の外側壁を具備し、かつ回路基板に実装したインシュレータと、上記回路基板と電気的に接続した状態で該インシュレータに支持したコンタクトと、対向する上記内側壁と外側壁の間の空間に進入する一対の回転支持部、及び、該回転支持部に形成した上記被ロック部と係脱可能なロック爪を有し、該ロック爪が上記被ロック部とケーブルの挿脱方向に対向するロック位置と、該ロック爪がケーブルから上記天井部側に退避して被ロック部とケーブルの挿脱方向に対向しなくなるアンロック位置との間を回転可能として上記インシュレータに支持したロック部材と、一端を上記インシュレータまたは該インシュレータに固定した固定部材に固定し、他端で上記ロック部材の該インシュレータとの対向部を支持する、該ロック部材を上記ロック位置に向けて回転付勢するコイルばねと、を備え、上記ロック爪が、上記インシュレータに挿入した上記ケーブルによって押圧されることにより上記ロック位置に位置しているロック部材を上記アンロック位置まで回転させ、かつ、上記ロック爪が上記被ロック部とケーブルの挿脱方向と直交する方向に対向しなくなったときに上記ケーブルと非接触になりロック部材が上記ロック位置まで回転するのを許容する被押圧部であることを特徴としている。
【０００８】
上記インシュレータに、上記コンタクトを覆う金属製のシェル部材を固定するのが好ましい。
この場合は、上記インシュレータに回転軸を形成し、上記ロック部材が、該回転軸に回転可能に支持した一対の回転支持部と、一対の回転支持部を接続し、かつ上記シェル部材を挟んで上記インシュレータと反対側に位置する基板部と、を備えるのが好ましい。
【発明の効果】
【０００９】
上記課題を解決するために、本発明のコネクタは、被ロック部を有するケーブルを挿脱可能で、挿入した該ケーブルの両面とそれぞれ対向する天井部及び底板部、該天井部と底板部の両側部に接続し上記ケーブルの両側縁近傍部を受け入れかつ該両側縁部を外側に突出させる挿入用凹部を有する内側壁、並びに、該内側壁から両側方に離間し、上記ケーブルの該内側壁から突出させた上記両側縁部の両側面とそれぞれ対向する一対の外側壁を具備し、かつ回路基板に実装したインシュレータと、上記回路基板と電気的に接続した状態で該インシュレータに支持したコンタクトと、対向する上記内側壁と外側壁の間の空間に進入する一対の回転支持部、及び、該回転支持部に形成した上記被ロック部と係脱可能なロック爪を有し、該ロック爪が上記被ロック部とケーブルの挿脱方向に対向するロック位置と、該ロック爪がケーブルから上記天井部側に退避して被ロック部とケーブルの挿脱方向に対向しなくなるアンロック位置との間を回転可能として上記インシュレータに支持したロック部材と、一端を上記インシュレータまたは該インシュレータに固定した固定部材に固定し、他端で上記ロック部材の該インシュレータとの対向部を支持する、該ロック部材を上記ロック位置に向けて回転付勢するコイルばねと、を備え、上記ロック爪が、上記インシュレータに挿入した上記ケーブルによって押圧されることにより上記ロック位置に位置しているロック部材を上記アンロック位置まで回転させ、かつ、上記ロック爪が上記被ロック部とケーブルの挿脱方向と直交する方向に対向しなくなったときに上記ケーブルと非接触になりロック部材が上記ロック位置まで回転するのを許容する被押圧部であることを特徴としている。
【００１０】
また、ロック爪が被押圧部を兼ねるので、ロック部材の構造を
簡単にできる。
【００１１】
さらに、インシュレータとロック部材の間の空間を有効利用しな
がらロック部材に絶えず回転付勢力を及ぼすことが可能になる。
【００１２】
請求項２記載の発明によれば、コンタクトに外部ノイズが入ったり、コンタクトから外部にノイズが漏れるのを効果的に防止できる。
さらに、静電気を帯びた作業者がケーブルを挿入したり或いは抜去する際にロック部材に触れたとしても、この静電気はコンタクトではなくシェル部材側に流れるので、回路基板に接続する電子部品（例えば、ＩＣチップやコンデンサ）に過電圧がかかるのを防止できる。従って、回路基板に接続した電子部品が作業者の静電気によって静電破壊するのを防止できる。
【００１３】
請求項３記載の発明によれば、請求項２の発明のようにコンタクトをシェル部材で覆った場合においてもロック部材が露出する。そのため、ケーブル抜去時のロック部材の操作を極めて容易に行うことが可能であり、しかもロック部材の位置を視認することによりケーブルの不完全挿入を確認（防止）できる。
【発明を実施するための最良の形態】
【００１４】
以下、添付図面を参照しながら本発明の一実施形態について説明する。なお、以下の説明中の前後、左右、及び上下の方向は、図中の矢印の方向を基準としている。
本実施形態のケーブル用コネクタはＦＰＣ用コネクタ１０であり、例えば自動車に搭載されるカーナビゲーションシステムやオーディオ機器内の回路基板ＣＢ（図１３及び図１４参照）に実装可能なものである。ＦＰＣ用コネクタ１０は、大きな構成要素としてインシュレータ２０、前側コンタクト４０Ｆ、後側コンタクト４０Ｒ、シェル部材５０、金具５８、ロック部材６０及び圧縮コイルばね（回転付勢手段）Ｓを具備している。
インシュレータ２０は絶縁性かつ耐熱性の合成樹脂料を射出成形したものである。図示するようにインシュレータ２０の左右両側部をなす一対の外側壁２１の上面の前部には係止突部２２が突設してある。外側壁２１の後部にはばね用凹部２３が凹設してあり、ばね用凹部２３の底部には円形のばね支持用凹部２４が凹設してある。図示するように、左右のばね用凹部２３には上下方向の軸線を有する圧縮コイルばねＳが収納してあり、圧縮コイルばねＳの下端部が左右のばね支持用凹部２４にそれぞれ嵌合固定してある。
外側壁２１の前面の下端部には後方に向かって延びる金具用凹部２５が凹設してある。左右の外側壁２１の下端部からインシュレータ２０の中央部に向かって側方底板部２６が延びており、左右の側方底板部２６の内側端部から上方に向かって内側壁２７が延びている。図９に示すように内側壁２７の前面下端部には後方に向かって延びる挿入用凹部２７ａが形成してあるので、内側壁２７の前部と側方底板部２６の間には隙間が存在する。左側の外側壁２１と左側の内側壁２７の間、及び右側の外側壁２１と右側の内側壁２７の間には左右方向に延びる略円柱形状の回転軸２８が一体的に設けてあり、左右の回転軸２８は互いに同軸をなしている。
左右の内側壁２７の底部どうしは中央底板部３０によって接続してある。一方、左右の内側壁２７の上端部どうしはその前端が中央底板部３０より後方に位置する天井部３１によって接続してあり、天井部３１の上面の前端部には左右方向に延びる係合突条３２が突設してある。図１、図２、図５、図１５及び図２２等に示すように、中央底板部３０と天井部３１の間には側面視Ｌ字形をなす計７９個の仕切板３３が左右方向に並べて一体的に設けてあり、隣り合う仕切板３３の間、及び左右両端部の仕切板３３と左右の内側壁２７の間の空間は計８０個のコンタクト収納空間３４となっている。さらに、図１５及び図２２に示すように、天井部３１の後端面には対応するコンタクト収納空間３４と連通する計８０個のコンタクト挿入溝３５が左右方向に並べて凹設してある。
【００１５】
計４０個の前側コンタクト４０Ｆ及び後側コンタクト４０Ｒは共に、ばね弾性を備えた銅合金（例えばリン青銅、ベリリウム銅、チタン銅）やコルソン系銅合金の薄板を図示の形状に順送金型（スタンピング）により成形加工したものであり、表面にニッケルメッキで下地を形成した後に、金メッキを施している。図示するように、前側コンタクト４０Ｆ及び後側コンタクト４０Ｒは互いに略平行をなす上部アーム４１及び下部アーム４２（前側コンタクト４０Ｆの下部アーム４２の方が後側コンタクト４０Ｒの下部アーム４２より僅かに長い）と、テール部４３とを具備しており、下部アーム４２の前端部には接触突部４４が上向きに突設してある。図示するように各前側コンタクト４０Ｆと後側コンタクト４０Ｒは、前側コンタクト４０Ｆと後側コンタクト４０Ｒが交互に隣り合うようにしてインシュレータ２０の各コンタクト収納空間３４にインシュレータ２０の後方から挿入してある。各前側コンタクト４０Ｆ及び後側コンタクト４０Ｒを対応するコンタクト収納空間３４に挿入すると、図１５及び図２２に示すように、各前側コンタクト４０Ｆ及び後側コンタクト４０Ｒの上部アーム４１が対応するコンタクト挿入溝３５に嵌合固定する。さらに、下部アーム４２が中央底板部３０から上方に離間し、テール部４３が中央底板部３０の後方に突出する。さらに、図１３及び図１７に示すように前側コンタクト４０Ｆの下部アーム４２の前端が後側コンタクト４０Ｒの下部アーム４２の前端より僅かに前方に位置する。このような配置にすると、ＦＰＣ７０を挿入する際に、前側コンタクト４０Ｆ及び後側コンタクト４０Ｒの接触突部４４とＦＰＣ７０の間に挿入抵抗が段階的に生じるため（強い挿入抵抗が一気に生じないため）、ＦＰＣ７０の挿入作業性を向上させることができる。
【００１６】
インシュレータ２０の上部を覆う部材であるシェル部材５０は金属（銅合金またはステンレス）により成形したものであり、平板状の基板部５１と、基板部５１の左右両端部から下向きに突出する一対の側壁部５２と、左右の側壁部５２の後端から後方に延びるテール部５３と、基板部５１の後縁部から下向きに延びる後壁部５４と、を具備している。基板部５１の前縁部には切欠５５が凹設してあり、左右の側壁部５２の前縁部には後方に向かって延びるＦＰＣ逃げ溝５６が形成してある。
シェル部材５０をインシュレータ２０に装着するには、左右の側壁部５２をインシュレータ２０の後方から左右の外側壁２１と内側壁２７の間の隙間に挿入する。すると、基板部５１が天井部３１の上面を覆うと共に基板部５１の切欠５５が天井部３１の係合突条３２に係合し、後壁部５４がインシュレータ２０の後端面を覆う。さらに、左右の側壁部５２のテール部５３が前側コンタクト４０Ｆ及び後側コンタクト４０Ｒのテール部４３と同じ平面上に位置する。
左右一対の金具５８の材質は前側コンタクト４０Ｆ及び後側コンタクト４０Ｒと同じであり、その前端部は後部に比べて一段下がった位置に位置するテール部５９となっている。左右の金具５８は、その後部をインシュレータ２０に形成した左右の金具用凹部２５に挿入することによりインシュレータ２０に固定する。そして、このように金具５８をインシュレータ２０に固定すると、左右の金具５８のテール部５９が前側コンタクト４０Ｆ及び後側コンタクト４０Ｒのテール部４３と同じ平面上に位置する。
【００１７】
ロック部材６０は耐熱性の合成樹脂材料を射出成形したものであり、左右方向に延びる基板部６１と、基板部６１の下面の左右両端よりやや内側から下方に延びる回転支持部６２と、基板部６１の下面の左右両側部に下向きに突設した係止突部６３と、を具備している。基板部６１の後端部には前部に比べて上方に突出する操作用突条部６４が形成してある。さらに、図１０、図１５及び図２２に示すように、基板部６１の下面の後半部は前端から後端に向かうにつれて上方に位置する傾斜面６５となっている。左右の回転支持部６２の下面の前端部には、前面が傾斜面となっているロック爪（被押圧部）６６が突設してあり、回転支持部６２の下面の中央部には略円形の回転支持用凹部６７が凹設してある。さらに、基板部６１の下面の左右両側部の前端部には抜止用凹部６８が凹設してある。
このような構造のロック部材６０は、左右の回転支持部６２を左右の外側壁２１と内側壁２７の間の隙間に挿入して左右の回転支持用凹部６７を左右の回転軸２８にそれぞれ回転可能に嵌合し、左右の係止突部６３を左右の圧縮コイルばねＳの上端部に嵌合し、さらに左右の抜止用凹部６８をインシュレータ２０の左右の係止突部２２に接触させることによりインシュレータ２０に取り付ける。すると、圧縮コイルばねＳがロック部材６０の後部を支持するので、ロック部材６０は図１１、図１３〜図１５、及び図１９〜図２２に示すロック位置に位置する。ロック部材６０がロック位置に位置するとき、圧縮コイルばねＳは自由状態より僅かに圧縮された状態になるので、ロック部材６０には図１３〜図１５、図１７、図１８及び図２０〜図２２の反時計方向の回転付勢力が及ぶ。
ロック部材６０はロック位置から圧縮コイルばねＳの回転付勢力に抗して図１３〜図１５、図１７、図１８及び図２０〜図２２の時計方向に回転可能であり、時計方向に回転することにより図１７及び図１８に示すアンロック位置に位置する。ロック部材６０の時計方向の回転は、ロック部材６０の後部の下端面６９（図１３、１７、２０参照）が側方底板部２６の上面に接触することにより規制される。
【００１８】
このような構造のＦＰＣ用コネクタ１０を平面視長方形をなす回路基板ＣＢ（図１３及び図１４参照）の上面に載置し、各前側コンタクト４０Ｆ及び各後側コンタクト４０Ｒのテール部４３を回路基板ＣＢ上の回路パターンに半田付けし、かつ、シェル部材５０のテール部５３、及び金具５８のテール部５９を回路基板ＣＢ上の接地パターンに半田付けすれば、ＦＰＣ用コネクタ１０を回路基板ＣＢの上面に実装できる。
【００１９】
次にＦＰＣ（フレキシブルプリント基板）７０のＦＰＣ用コネクタ１０への接続及び接続解除要領と、接続及び接続解除時のＦＰＣ用コネクタ１０の動作について説明する。
図示するようにＦＰＣ７０の後端部はその他の部分に比べて幅広でかつその他の部分に比べて硬質の後端硬質部７１により構成してあり、後端硬質部７１の左右両端部が被ロック部７２となっている。
図１１に示すようにＦＰＣ７０を後端硬質部７１側からＦＰＣ用コネクタ１０に接近させ、図１６に示すようにインシュレータ２０の中央底板部３０と天井部３１の前端部間の開口部からインシュレータ２０の内部に挿入する。すると、左右の被ロック部７２の外側端部よりやや内側の部分が左右の内側壁２７の挿入用凹部２７ａに嵌合し、かつ左右の被ロック部７２の外側端部（挿入用凹部２７ａに嵌合している部分より外側に位置する部分）が左右の外側壁２１と内側壁２７の間の隙間に位置する。なお、左右の被ロック部７２の外側端部の一部がシェル部材５０のＦＰＣ逃げ溝５６内に位置するので、被ロック部７２とシェル部材５０は干渉しない。
従って、ＦＰＣ７０をさらに後方に移動させると、後端硬質部７１の左右の被ロック部７２の間に位置する部分が天井部３１の下面と各前側コンタクト４０Ｆ及び後側コンタクト４０Ｒの下部アーム４２の間の隙間に進入する。さらに、左右の被ロック部７２の外側端部がロック部材６０の左右のロック爪６６の前面（傾斜面）を押圧するので、圧縮コイルばねＳの回転付勢力に抗してロック部材６０が図１７及び図１８に示すアンロック位置まで回転する。この状態でＦＰＣ７０をさらに後方に移動させると、図１７に示すように左右のロック爪６６が左右の被ロック部７２の上面に乗り上げ被ロック部７２の上面に接触する。
そして、ＦＰＣ７０をさらに後方に移動させることにより後端硬質部７１の後端面が各仕切板３３の後部３３ａの前面に当接すると（図２２参照）、ロック部材６０の左右のロック爪６６が左右の被ロック部７２を乗り越える（左右の被ロック部７２の前方に移動する）ので、圧縮コイルばねＳの回転付勢力によってロック部材６０がロック位置に回転復帰し、図２０に示すように左右のロック爪６６の後面（垂直面）が左右の被ロック部７２の直前に位置する。従って、仮にＦＰＣ７０に前向きの意図しない外力が掛かってもＦＰＣ７０がＦＰＣ用コネクタ１０から前方に抜け出すことはない。
さらに、ＦＰＣ７０挿入状態においても圧縮コイルばねＳからロック部材６０に回転付勢力が及ぶので、振動や衝撃等の外乱によりロック部材６０が不意にアンロック位置に回転するのを防止できる。
さらに、図２２に示すようにＦＰＣ７０の上面が天井部３１の下面に接触し、ＦＰＣ７０の下面に形成した導通部（図示略）が各前側コンタクト４０Ｆ及び後側コンタクト４０Ｒの下部アーム４２接触突部４４に接触し、各下部アーム４２を自由状態に比べて僅かに下方に弾性変形させる。そのため、ＦＰＣ７０と回路基板ＣＢが各前側コンタクト４０Ｆ及び後側コンタクト４０Ｒを介して電気的に導通する。
【００２０】
このようなＦＰＣ７０と各前側コンタクト４０Ｆ及び後側コンタクト４０Ｒの接続状態を解除するには、作業者が手でロック部材６０の操作用突条部６４を下方に押圧する。すると、ロック部材６０が圧縮コイルばねＳの回転付勢力に抗してアンロック位置方向に回転する。ロック部材６０がアンロック位置まで回転すると、図１７に示すようにロック部材６０のロック爪６６がＦＰＣ７０の上方に位置するので、ＦＰＣ７０をＦＰＣ用コネクタ１０から容易に前方に引き抜くことができる。そして、ＦＰＣ用コネクタ１０からＦＰＣ７０を引き抜いた後にロック部材６０から手を離せば、ロック部材６０は圧縮コイルばねＳの回転付勢力によってロック位置に回転復帰するので、ＦＰＣ用コネクタ１０は図１２〜図１５の状態に自動的に復帰する。
【００２１】
以上説明したように本実施形態によれば、ＦＰＣ７０をインシュレータ２０に押し込むという１回の動作でＦＰＣ７０とＦＰＣ用コネクタ１０を確実に接続且つロックでき、しかも接続後はロック部材６０の左右のロック爪６６がＦＰＣ７０の左右の被ロック部７２の直前に位置するのでＦＰＣ７０がＦＰＣ用コネクタ１０から不意に抜け出すのを確実に防止できる。
さらに、ＦＰＣ７０をインシュレータ２０に押し込むことによりロック爪６６が被ロック部７２を前方に乗り越えると、ロック部材６０が圧縮コイルばねＳの回転付勢力によってロック位置に自動的に回転復帰するので、作業者はこの際に強いクリック感を感じることができる。そのため、作業者はＦＰＣ７０の不完全な挿入を目視及び感覚で容易に認識できるので、前側コンタクト４０Ｆ及び後側コンタクト４０ＲとＦＰＣ７０が完全に接続したか否かを確実に把握できる。
また、前側コンタクト４０Ｆ及び後側コンタクト４０ＲとＦＰＣ７０が接続している状態でＦＰＣ７０を強い力で前方に無理矢理引き抜こうとすると、ＦＰＣ７０からロック部材６０に前向きの強い力が掛かる。しかし、ロック部材６０に形成した左右の抜止用凹部６８がインシュレータ２０の対応する係止突部２２に後方から係合（当接）するので、ロック部材６０の回転支持用凹部６７と回転軸２８の係合が外れてロック部材６０がインシュレータ２０から前方に外れることはない。
【００２２】
また、インシュレータ２０の上面、後面及び側面をシェル部材５０で覆っているので、各前側コンタクト４０Ｆ及び後側コンタクト４０Ｒに外部ノイズが入ったり、各前側コンタクト４０Ｆ及び後側コンタクト４０Ｒのノイズが外部に漏れるのを効果的に防止できる。
さらに、静電気を帯びた作業者がＦＰＣ７０の挿入時及び抜去時にロック部材６０に触れたとしても、ロック部材６０の下にインシュレータ２０と各コンタクトを覆うシェル部材５０を配置しているので、この静電気は前側コンタクト４０Ｆ及び後側コンタクト４０Ｒではなくシェル部材５０側に流れて回路基板ＣＢに形成した上記接地パターン（グランド回路）に落ちる。従って、回路基板ＣＢに接続した電子部品（例えば、ＩＣチップやコンデンサ）に過電圧がかかるのを防止できるので、静電気による電子機器の静電破壊を防止できる。つまり、ＦＰＣ７０の優れた作業性と電気的特性を両立させることができる。
【００２３】
さらに、ＦＰＣ用コネクタ１０はＦＰＣ７０に実装される前においては、図２３及び図２４に示すリール装置８０に巻かれたエンボステープ８１の収納凹部８２に収納され、このエンボステープ８１の上面に上面カバーテープ８３が貼着される。ＦＰＣ用コネクタ１０を収納凹部８２から取り出すには、まずエンボステープ８１の上面から上面カバーテープ８３を剥がし、エンボステープ８１の上方に配設した吸引手段８４（図２４参照）から収納凹部８２内のＦＰＣ用コネクタ１０に吸引力を及ぼすが、ロック部材６０の上面に広い平面（吸着面）を確保できるため本実施形態のＦＰＣ用コネクタ１０は吸引手段８４によって確実に吸引することができる。
なお、吸引手段８４がＦＰＣ用コネクタ１０を安定した状態で吸引できるようにするために、圧縮コイルばねＳのばね力を吸引手段８４による吸引力より強く設定し、吸引手段８４からロック部材６０（ＦＰＣ用コネクタ１０）に吸引力が掛かってもロック部材６０がロック位置から回転しないようにするのが好ましい。
【００２４】
以上、本発明を上記実施形態に基づいて説明したが、本発明は上記実施形態に限定されるものではなく、様々な変形を施しながら実施可能である。
例えば、接続対象物はＦＰＣ以外のケーブル、例えばフレキシブルフラットケーブル（ＦＦＣ）であってもよい。
さらに、本実施形態ではロック部材６０のロック爪６６をＦＰＣ７０の被ロック部７２の直前に位置させることによりＦＰＣ７０の意図しない引き抜きを防止しているが、ＦＰＣ７０の上面に貫通孔または凹部を形成し、ロック爪６６をこの貫通孔または凹部に係合させるようにしてもよい（この場合は、ＦＰＣ７０の貫通孔または凹部の直前に位置する部分が被ロック部となる）。
また、ロック部材６０にロック爪６６とは別個の部材として突部材（被押圧部）を形成し、ケーブルでこの突部材を押圧することによりロック部材６０をアンロック位置まで回転させるようにしてもよい。
さらに、回転付勢手段として別の形態の付勢手段、例えば引張コイルばねを利用してもよい。この場合は、引張コイルばねを回転軸２８の前方に位置させ、引張ばねの下端部をインシュレータ２０側に固定し上端部をロック部材６０側に固定する。
また、圧縮コイルばねＳと引張ばねの下端部をインシュレータ２０に固定した固定部材（例えば金具５８）に固定してもよい。
【図面の簡単な説明】
【００２５】
【図１】本発明の一実施形態のＦＰＣ用コネクタの前方から見た分解斜視図である。
【図２】同じくＦＰＣ用コネクタの前方から見た分解斜視図である。
【図３】本発明の一実施形態のＦＰＣ用コネクタの後方から見た分解斜視図である。
【図４】同じくＦＰＣ用コネクタの後方から見た分解斜視図である。
【図５】インシュレータの前方から見た斜視図である。
【図６】インシュレータの平面図である。
【図７】図６のVII−VII矢線に沿う断面図である。
【図８】インシュレータの正面図である。
【図９】図８のIX−IX矢線に沿う断面図である。
【図１０】ロック部材の下方から見た斜視図である。
【図１１】ＦＰＣとＦＰＣを挿入する前の状態のＦＰＣ用コネクタの斜視図である。
【図１２】ＦＰＣを挿入する前の状態のＦＰＣ用コネクタの平面図である。
【図１３】図１２のXIII−XIII矢線に沿う断面図である。
【図１４】図１２のXIV−XIV矢線に沿う断面図である。
【図１５】図１２のXV−XV矢線に沿う断面図である。
【図１６】ＦＰＣ用コネクタにＦＰＣを挿入中の状態を示す図１１と同様の斜視図である。
【図１７】ＦＰＣ用コネクタにＦＰＣを挿入中の状態の図１３と同様の断面図である。
【図１８】ＦＰＣ用コネクタにＦＰＣを挿入中の状態の図１４と同様の断面図である。
【図１９】ＦＰＣ用コネクタに対するＦＰＣの挿入が完了したときの図１１と同様の斜視図である。
【図２０】ＦＰＣ用コネクタに対するＦＰＣの挿入が完了したときの図１３と同様の断面図である。
【図２１】ＦＰＣ用コネクタに対するＦＰＣの挿入が完了したときの図１４と同様の断面図である。
【図２２】ＦＰＣ用コネクタに対するＦＰＣの挿入が完了したときの図１５と同様の断面図である。
【図２３】本実施形態のＦＰＣ用コネクタを収納するためのエンボステープを巻いたリール装置の斜視図である。
【図２４】エンボステープの収納部にＦＰＣ用コネクタを収納したときのエンボステープの横断面図である。
【符号の説明】
【００２６】
１０    ＦＰＣ用コネクタ（ケーブル用コネクタ）
２０    インシュレータ
２１    外側壁
２２    係止突部
２３    ばね用凹部
２４    ばね支持用凹部
２５    金具用凹部
２６    側方底板部
２７    内側壁
２８    回転軸
３０    中央底板部
３１    天井部
３２    係合突条
３３    仕切板
３４    コンタクト収納空間
３５    コンタクト挿入溝
４０Ｆ  前側コンタクト
４０Ｒ  後側コンタクト
４１    上部アーム
４２    下部アーム
４３    テール部
４４    接触突部
５０    シェル部材
５１    基板部
５２    側壁部
５３    テール部
５４    後壁部
５５    切欠
５６    ＦＰＣ逃げ溝
５８    金具
５９    テール部
６０    ロック部材
６１    基板部
６２    回転支持部
６３    係止突部
６４    操作用突条部
６５    傾斜面
６６    ロック爪（被押圧部）
６７    回転支持用凹部
６８    抜止用凹部
７０    ＦＰＣ（フレキシブルプリント基板）（ケーブル）
７１    後端硬質部
７２    被ロック部
８０    リール装置
８１    エンボステープ
８２    収納凹部
８３    上面カバーテープ
８４    吸引手段
ＣＢ    回路基板
Ｓ      圧縮コイルばね（回転付勢手段）
【図１】
0004750811.tif 000002
【図２】
0004750811.tif 000003
【図３】
0004750811.tif 000004
【図４】
0004750811.tif 000005
【図５】
0004750811.tif 000006
【図６】
0004750811.tif 000007
【図７】
0004750811.tif 000008
【図８】
0004750811.tif 000009
【図９】
0004750811.tif 000010
【図１０】
0004750811.tif 000011
【図１１】
0004750811.tif 000012
【図１２】
0004750811.tif 000013
【図１３】
0004750811.tif 000014
【図１４】
0004750811.tif 000015
【図１５】
0004750811.tif 000016
【図１６】
0004750811.tif 000017
【図１７】
0004750811.tif 000018
【図１８】
0004750811.tif 000019
【図１９】
0004750811.tif 000020
【図２０】
0004750811.tif 000021
【図２１】
0004750811.tif 000022
【図２２】
0004750811.tif 000023
【図２３】
0004750811.tif 000024
【図２４】
0004750811.tif 000025